(57)【要約】【課題】  本発明は、ＣＤ−ＲＷにおいてＯＰＣにおいて最適なパワーを求めることができるように発光パワーのばらつきをなくすことができる。【解決手段】  本発明のレーザ光源駆動電流値決定方法では、先ず第３の光量の最適値を決定するための試し書きを行う領域に対して第１の光量のパワーレベルよりは大きく、第３の光量のパワーレベルよりは小さい情報消去用の光量を連続的に照射する。そして、情報消去用の光量とレーザ光源へ入力された電流値からレーザ光源と入力電流値の特性を取得する。取得したレーザ光源の光量と入力電流値の関係に基づいて、試し書きを行うときの第３の光量で発光させるためにレーザ光源へ入力すべき電流値を決定する。また、第２の光量で発光させるためにレーザ光源へ入力すべき電流値を決定する。【選択図】        図２
2005166160.tif 000002
【特許請求の範囲】
【請求項１】
レーザ光を光記録媒体に照射するレーザダイオードと、
該レーザダイオードからの光量レベルは少なくとも第１の光量のパワーレベル、該第１の光量のパワーレベルより大きい第２の光量のパワーレベル、及び該第２の光量のパワーレベルより大きい第３の光量のパワーレベルの３つの光量のパワーレベルでデジタル変調されて出射するように、前記レーザダイオードに電流を供給して駆動させるレーザダイオード駆動手段と、
前記レーザダイオードから出力されるレーザ光の発光パワーを検出する発光パワー検出手段と、
前記発光パワー検出手段により検出した検出値に基づいて前記光量のパワーレベルを調整する光量パワーレベル調整手段と、
前記レーザダイオードの記録パワーを決定するための複数のパーティションに分割された試し書き領域と、該試し書き領域のパーティションに対応する複数のパーティションに分割されたカウント領域とを含むパワー校正領域を有する書き換え可能な光ディスクに対し、パワーを校正するために試し書き領域にパワーを変化させながら試し書きを行う位置でＤＣイレーズ発光させて、ＤＣイレーズ発光を行った期間の前記レーザダイオードへの駆動電流値を複数個保持しておき、保持しておいた複数個の駆動電流値から前記レーザダイオードの微分効率を求め、パワーを校正するために試し書き領域にパワーを変化させて記録する際の前記第３の光量のパワーレベルで発光させるための前記レーザダイオードへの駆動電流値と、前記第２の光量レベルで発光開始時の前記レーザダイオードへの駆動電流値を前記微分効率から求める制御手段と
を有することを特徴とする光情報記録再生装置。
【請求項２】
複数個のレーザダイオードの駆動電流値の内発光開始直後の値を除いて前記ＤＣイレーズ発光時保持しておく請求項１記載の光情報記録再生装置。
【請求項３】
前記ＤＣイレーズ発光時の発光パワーを定めておき、前記ＤＣイレーズ発光を行ったときに保持しておいた複数個のレーザダイオードの駆動電流値の値に応じてＬＤへの供給電流最大値を変更する供給電流最大値変更手段を有する請求項１又は２に記載の光情報記録再生装置。
【請求項４】
前記制御手段は、前記供給電流最大値変更手段によりＬＤへの供給電流最大値を変更し、再度同じところへＤＣイレーズ発光させて微分効率を求める請求項１〜３のいずれかに記載の光情報記録再生装置。
【請求項５】
記録媒体に対して情報の記録を行うために、少なくとも第１の光量、該第１の光量のパワーレベルより大きいパワーレベルの第２の光量及び該第２の光量のパワーレベルより大きいパワーレベルの第３の光量で発光するレーザ光源へ入力される電流値を決定するレーザ光源駆動電流値決定方法において、
前記第３の光量の最適値を決定するための試し書きを行う領域に対して前記第１の光量のパワーレベルよりは大きく、前記第３の光量のパワーレベルよりは小さい情報消去用の光量を連続的に照射する消去用光量照射工程と、
該消去用光量照射工程における前記情報消去用の光量と前記レーザ光源へ入力された電流値から前記レーザ光源と入力電流値の特性を取得する光量電流関係取得工程と、
該光量電流関係取得工程において取得した前記レーザ光源の光量と入力電流値の関係に基づいて、前記試し書きを行うときの前記第３の光量で発光させるために前記レーザ光源へ入力すべき電流値を決定する第３の光量電流値決定工程と、
前記第２の光量で発光させるために前記レーザ光源へ入力すべき電流値を決定する第２の光量電流値決定工程と
を有することを特徴とするレーザ光源駆動電流値決定方法。
【請求項６】
コンピュータにより、記録媒体に対して情報の記録を行うために、少なくとも第１の光量、該第１の光量のパワーレベルより大きいパワーレベルの第２の光量及び該第２の光量のパワーレベルより大きいパワーレベルの第３の光量で発光するレーザ光源へ入力される電流値を決定するレーザ光源駆動電流値決定方法を実行するプログラムにおいて、
前記第３の光量の最適値を決定するための試し書きを行う領域に対して前記第１の光量のパワーレベルよりは大きく、前記第３の光量のパワーレベルよりは小さい情報消去用の光量を連続的に照射する機能と、
前記情報消去用の光量と前記レーザ光源へ入力された電流値から前記レーザ光源と入力電流値の関係を取得する機能と、
取得した前記レーザ光源の光量と入力電流値の関係に基づいて、前記試し書きを行うときの前記第３の光量で発光させるために前記レーザ光源へ入力すべき電流値を決定する機能と、
前記第２の光量で発光させるために前記レーザ光源へ入力すべき電流値を決定する機能とをコンピュータにより実行することを特徴とするプログラム。
【請求項７】
請求項６記載のプログラムを格納したコンピュータ読み取り可能な記録媒体。
【発明の詳細な説明】
【技術分野】
【０００１】
本発明は光情報記録再生装置、レーザ光源駆動電流値決定方法、該方法を実行するプログラム及び該プログラムを格納したコンピュータ読み取り可能な記録媒体に関し、詳細にはＣＤ−Ｒ、ＣＤ−ＲＷ、ＤＶＤ等の光ディスクに対して情報の記録及び再生を行う際のレーザ光源の駆動電流値を決定する方法に関する。
【背景技術】
【０００２】
光情報記録再生装置におけるデータの記録は、例えばＣＤ−ＲＷでは記録膜の結晶状態を変化させることによって行われる。一方、光ディスクに書き込まれたデータは、レーザダイオード(以下ＬＤと略す)から発光される弱いレーザ光量を光ビームとして記録膜上に照射した際に結晶状態と非結晶状態の反射光量の違いをデータとして読み取られる。ただし、前述したようにＣＤ−ＲＷでは記録膜の結晶状態を変化させるために、一般的にＬＤから照射するレーザ光はＣＤ−ＲＷにおけるＬＤから出射されるレーザ光の様子を示す図４のようになっている。
【０００３】
図４において、時刻Ｔｗまでが再生状態とし、時刻Ｔｗからを記録開始とする。再生状態ではパワーＰ１で発光させるが、このパワーＰ１は１ｍＷほどの弱い発光パワーである。ここで、再生状態と記録開始後でパワーＰ１は同じであるが、再生状態と記録開始後でパワーＰ１を変化させる場合もある。また、記録開始後に注目すると、高パワー側のパワーＰ３と低パワー側のパワーＰ１を高速で繰り返すことにより記録膜は非結晶化される。このような発光期間を記録期間と呼ぶこととする。これらの記録期間と消去期間はそれぞれスピードに応じて３Ｔ〜１１Ｔに相当する時間幅を有している。更に、この記録期間では、前述したようにパワーＰ３とパワーＰ１を高速で繰り返しているが、パワーＰ３にしておく期間とパワーＰ１にしておく期間には予め光ディスク毎に決めておくのが一般的である。
【０００４】
また、再生時のパワーＰ１よりも大きなパワーレベル、一般的に再生時を１ｍＷとした場合一般的には１０ｍＷほどのパワーＰ２で、連続して発光した場合、非結晶化されていない箇所では結晶のままであり、非結晶化されていると結晶に戻る性質を持っている。このような発光期間を消去期間と呼ぶこととする。
【０００５】
近年、記録速度が上昇しつつ傾向にあるが、ＣＤ−ＲＷでも１６倍速のものが出てきており、一般的にパワーＰ１は１ｍＷ〜２ｍＷほど、パワーＰ２は５ｍＷ〜２０ｍＷほど、パワーＰ３では１０ｍＷから４０ｍＷくらいの範囲で発光させるようになっている。ところで、前述したようにＣＤ−ＲＷでは記録開始後、記録期間においてはパワーＰ３とパワーＰ１の２つの発光パワーで、消去期間においてはパワーＰ２だけで発光させているが、ＬＤは自らの発振による温度上昇等によってその発光パワーが変化する性質がある。特に、発光パワーが高パワーの場合低パワーの場合に比べてより短期間のうちに温度が上昇する。そのため受光素子によってＬＤの出力をモニタしながらＬＤを駆動する電流を制御するなどして、ＬＤの発光パワーを一定にする必要がある。
【０００６】
図５はＣＤ−ＲＷの発光における定パワー制御を行うレーザコントローラの回路構成例を示す図である。同図に示すレーザコントローラ１０は、主に、オートパワーコントローラ（以下ＡＰＣ部と略す）２０とＬＤドライバ部３０を含んで構成されている。このレーザコントローラ１０において、フォトダイオード（以下ＰＤと略す）は、ＬＤからのレーザ光が入射され、光電変換により光量に比例した電流を出力する。ただし、ＰＤによるモニタはＬＤからのレーザ光の一部をモニタするのであり、レーザ光の大部分は光ディスクの記録膜へ照射される。次に、ＰＤから出力された電流はＩ／Ｖ変換器２１により電流を電圧に変換され電圧値として出力される。Ｉ／Ｖ変換器２１から出力される出力電圧値において再生時のパワーＰ１が電圧変換された電圧値をＶ(Ｐ１)とし、記録時のパワーＰ２が電圧変換された電圧値をＶ(Ｐ２)とする。
【０００７】
次に、Ｉ／Ｖ変換器２１の後段で２股に分かれ、それぞれＳ／Ｈ回路２２，２３が接続されている。Ｓ／Ｈ回路２２は再生時のＶ(Ｐ１)をサンプルホールドするための第１のＳ／Ｈ回路であり、Ｓ／Ｈ回路２３は記録時のＶ(Ｐ２)をサンプルホールドするための第２のＳ／Ｈ回路である。２つに分かれているのはパワーＰ１とパワーＰ２でサンプルするパワーに差があるためであり、同じ経路だとサンプルホールドした値がパワーＰ１ではかなり小さくなってしまうからである。そのために後述する第１，第２のコンパレータ２４，２５までのゲインは変えている。また、一般的にはＣＤ−ＲＷだけの光情報記録再生装置という装置はあまりなく、ＣＤ−Ｒでも記録できるようになっているが、ＣＤ−Ｒでは記録開始後Ｖ(Ｐ２)だけでなくＶ(Ｐ１)もサンプルホールドを行うため２系統を用意している。ただし、ここではＣＤ−Ｒについて詳細な説明は省略する。
【０００８】
また、Ｓ／Ｈ回路２２は再生時のＶ(Ｐ１)をサンプルするが、Ｓ／Ｈ回路２２における第１のサンプル信号は再生時常にＳ／Ｈ回路２２内のＳＷ１をオンにしている。更に、ＣＤ−ＲＷの記録開始後の記録期間では常にＳ／Ｈ回路２２内のＳＷ１をオフにしている。これは前述したように記録期間ではパワーＰ３とパワーＰ１が交互に高速で発光しているため、パワーＰ１の期間が短すぎるためサンプルホールドできないためである。
【０００９】
一方、Ｓ／Ｈ回路２３における第２のサンプル信号は、再生時常にＳ／Ｈ回路２３内のＳＷ２をオフにする信号であり、記録開始後は消去期間、つまりパワーＰ２で出射されている期間、あるいはそれより短い期間のみＳ／Ｈ回路２３内のＳＷ２をオンにし、記録期間ではＳ／Ｈ回路２３内のＳＷ２をオフにし、Ｓ／Ｈ回路２３内のコンデンサでパワーＰ２に対応した電圧値Ｖs(Ｐ２)のみ取り出すように制御する信号である。また、再生時Ｉ／Ｖ変換器２１が出力する電圧値Ｖs(Ｐ１)と、記録開始後Ｓ／Ｈ回路２３によってＩ／Ｖ変換器２１が出力する電圧値から分離されたＶs(Ｐ２)は第１のコンパレータであるコンパレータ２４及び第２のコンパレータであるコンパレータ２５にそれぞれ入力される。そして、コンパレータ２４ではＶs(Ｐ１)と第１の基準電圧（以下Ｖref1とする）を比較し、同様にコンパレータ２５ではＶs(Ｐ２)と第２の基準電圧（以下Ｖref2とする）を比較している。コンパレータ２４，２５からは入力信号のＶs(Ｐ１)又はＶs(Ｐ２)がＶref1又はＶref2に対して大きいか小さいかのみを示す信号、つまり２値の値（デジタル値）が出力され、ＣＰＵ２６で読み込む形となっている。
【００１０】
また、デジタル値をアナログ値に変換するＤ／Ａコンバータ２７にＣＰＵ２６よりデータが送られ、Ｄ／Ａコンバータ２７からは入力されたデータに比例した電圧値を出力している。更に、この出力に比例した値がＶ／Ｉ変換器３１によって電流が出力される。同様に、Ｄ／Ａコンバータ２８にもＣＰＵ２６よりデータが送られてＶ／Ｉ変換器３２からも電流が出力される。また、Ｖ／Ｉ変換器３１，３２の出力電流が電流増幅器３３，３４によって増幅されるのだが、再生時は光源オン信号（ＬＤ  ＯＮ信号）がオンになり、ＳＷ３がオンになることで電流増幅器３３の出力がＬＤに供給されてパワーＰ１の光量レベルでＬＤから発光する。また、記録時は第１のライトパルス重畳信号がオンになり、ＳＷ４がオンになることで電流増幅器３４の出力が電流加算器３５によって電流増幅器３３からの出力電流と加算されてＬＤに供給されていき、この電流によってＬＤからはパワーＰ２の光量レベルで発光する。このとき電流増幅器３３からの出力電流を以下ＩＰ１とし、電流増幅器３４からの出力電流を以下ＩＰ２とする。
【００１１】
この回路によって発光パワーが一定に保つまでは以下のようになっている。先ず、再生開始時、ＣＰＵ２６はＤ／Ａコンバータ２７に０を出力する。これによりＬＤの記録パワー分の電流は０からスタートとなる。そして、ＣＰＵ２６はＤ／Ａコンバータ２７に出力するデータを徐々に増加させながら、コンパレータ２４の出力が反転するまで、つまりＶs(Ｐ１)がＶref1より大になるまで増加させる。その後、コンパレータ２４の出力が常に反転を繰り返すように、つまりＶs(Ｐ１)＝Ｖref1となるように、Ｄ／Ａコンバータ２７に出力するデータを常に可変する。このような制御により、ＬＤから出射される再生パワーは一定レベルに保たれる。
【００１２】
図６はデジタル制御による制御時の第１のＳ／Ｈ回路の出力電圧と第１のコンパレータの出力との関係を示すタイムチャートである。同図に示すように、記録開始後再生時パワーＰ１のレベルにあったＬＤからの出力が、パワーＰ２まで変化していき、そして図７に示すように一定に保たれる。図７はデジタル制御による制御時の第２のＳ／Ｈ回路の出力電圧と第２のコンパレータの出力との関係を示すタイムチャートである。図７で再生発光時には図５のＣＰＵ２６はＤ／Ａコンバータ２８の出力を０にしておく。そして、記録開始後サンプルホールドした値は再生時のレベルとほぼ同じレベルになっている。経路のゲインの差としてαをかけているが、このαは通常１未満の値となる。
【００１３】
次に、図５のＣＰＵ２６はＤ／Ａコンバータ２８に出力するデータを１ずつ又は所定値ずつ上げていく。これに伴い、Ｄ／Ａコンバータ２８が出力する電圧値に比例した電流値がＬＤに記録パワーの電流値としてＤ／Ａコンバータ２７が出力する電圧値に比例した電流に重畳されるため、これをモニタして、サンプルホールドしたＳ／Ｈ回路の出力電圧も所定量ずつ増加していく。この後は再生時と同じようにして一定に保たれる。また、上述したように記録開始後、パワーＰ１はサンプルホールドしない(できない)のだが、記録開始時のＤ／Ａコンバータ２７の出力は記録開始直前の値をそのまま出力すればよい。特にパワーＰ１はパワーとしては低く、パワーＰ１での発光期間は記録期間だけであり、断続的の発光なので、上述したように温度等によりＬＤの発光の変動分は小さいのでＤ／Ａコンバータ２７の設定は一定値としておけばよい。このようにしてＬＤからは一定で出射されることになる。
【００１４】
ところで、この構成例では再生時も記録時もＣＰＵ２６とＤ／Ａコンバータ等を用いたデジタル制御である。しかし、定パワー制御を行うためにはこのようなデジタル制御だけではなく、Ｓ／Ｈ回路からの信号が積分器のような誤差増幅器等に入力され、誤差増幅器等で基準電圧値と比較されて当該基準電圧値に対してずれを生じているときに誤差増幅器の入力を基準電圧値と同じくするように出力が変化するアナログ制御によってもパワー制御できる。特に、パワーＰ１は低パワーであるためアナログ制御を行っても再生開始直後に誤差増幅器の出力が大きく乱れることはないため、またアナログ制御の方の発光パワーが一定になる時間が短いために、パワーＰ１の制御には用いられることが多い。
【００１５】
また、パワーＰ１をアナログ制御とした場合は、Ｓ／Ｈ回路２２の出力が誤差増幅器に入力され、誤差増幅器の出力が直接Ｖ／Ｉ変換器３１に入力されるようにしておき、同時にＶ／Ｉ変換器３２にはＤ／Ａコンバータ２７の出力が入るようにしておく。
【００１６】
更に、Ｖ／Ｉ変換器３１の入力を上記どちらにするかはスイッチ等で変更できるようにしておき、再生時パワーＰ１としてパワーが一定になったときの誤差増幅器の出力レベルがどれくらいかをＡ／Ｄコンバータなどで調べられるようにしておき、Ｄ／Ａコンバータ２７の出力を同じパワーレベルにする。この状態で記録開始してＶ／Ｉ変換器３１の出力をＤ／Ａコンバータ２７にすれば記録開始後はデジタル制御と同じようになる。
【００１７】
このように，アナログ制御でもデジタル制御でもＬＤ発光パワーをモニタしてパワーＰ１、Ｐ２といったパワーレベルを基準電圧値と比較して基準電圧値になるようにＬＤへの駆動電流を制御するといった点では同じ動作である。即ち、定パワー制御はこのようなデジタル制御だけではなく、Ｓ／Ｈ回路２２又は２３からの信号を誤差増幅器等に入力させ、誤差増幅器等で基準電圧値と比較し基準電圧値に対してずれを生じているときに誤差増幅器はずれを補正するような電圧をＶ／Ｉ変換器３１又は３２に出力するようなアナログ制御であってもパワー制御できる。
【００１８】
ところで、図８はレーザの駆動電流対発光パワーの特性を示す特性図である。一般的に、図８に示すようにＬＤからの発光パワーとＬＤ駆動電流は任意の閾値（以下ＩＴｈとする）より上では１次関数的になっている。ただし、この傾きはＬＤによって多少ばらつきもあるが、ＬＤ駆動電流と発光パワーにある関係をもっていることから、ＬＤ駆動電流を設定するＤ／Ａコンバータの設定電圧値とも発光パワーは関係をもっていることがわかる。更に、Ｄ／Ａコンバータの設定電圧値は元々コンパレータの基準電圧値によって決まるものなので、つまりはコンパレータの基準電圧値と発光パワーはある一定の傾きで１次関数的な関係があるといえる。
【００１９】
従って、コンパレータの基準電圧値と発光パワーの関係の傾きを予め求めておけば、基準電圧値に対して発光パワーを求めることができる。実際はその傾きや切片をメモリ等に記憶させておくことでその制御はたやすくなる。
そのため、上記コンパレータの基準電圧値とパワーＰ１又はパワーＰ２の関係は製造工程などにおいて、例えば関係式のかたちで予め求めておき、実際の発光時はこの関係からパワーＰ１、パワーＰ２の設定を行う。また、上記の傾きはＬＤの特性により温度などで傾きが変わったり、ＩＴｈがシフトしたりするが、コンパレータの基準電圧値をまたぐようにＣＰＵがＬＤ駆動電流値(Ｖ／Ｉ変換器の出力)を変えるのことで一定パワーが制御できる。このようにＬＤからの発光パワーが一定になるように制御することを一般的にオートパワーコントロール（Auto Power Control；ＡＰＣ）という。
【００２０】
なお、図５において制御部ということで特に基準電圧値と比較して基準電圧値になるようにＶ／Ｉ変換器へ電圧を制御するＣＰＵまでをＡＰＣ部と記してある。また、上述したようにＣＤ−ＲＷでは記録開始後パワーＰ１はパワーが低いことと、発光する期間が断続的なこともあり、サンプルホールドができないため特にＡＰＣは行わず、記録開始後はパワーＰ２(イレーズパワー)でのみでＡＰＣを行う。
【００２１】
次に、パワーレベルのパワーＰ３を使う場合について説明する。上述したようにＣＤ−ＲＷにおけるパワーレベルはパワーＰ１とパワーＰ２だけでなくパワーＰ３のパワーレベルがあり、このパワーＰ３のパワーレベルによる発光時は第２のライトパルス重畳信号がオンになり、ＳＷ５がオンになることで図５の電流増幅器３７の出力が電流加算器３５によって電流増幅器３３と電流増幅器３４からの出力電流と加算されてＬＤに流れていき、この電流によってＬＤからはパワーＰ３のパワーレベルで発光するようになる。このとき電流増幅器３７からの出力電流を以下ＩＰ３とする。また、図８に示すように、パワーＰ１のパワーレベルで発光するためにＬＤへ供給するのに必要な電流をＩＰ１、パワーＰ２のパワーレベルで発光するためにＬＤへ供給するのに必要な電流をＩＰ２とし、そしてパワーＰ３のパワーレベルで発光するためにＬＤへ供給するのに必要な電流をＩＰ３とする。
【００２２】
パワーＰ２はＩＰ２の設定、つまり図５のＤ／Ａコンバータ２８の設定を上述したようにＡＰＣにより変更することで、コンパレータ２５の入力をＶref2と同じくなるように制御されるが、パワーＰ３はパワーＰ１と同様に記録開始後の記録期間でのみ（かなり短い時間だけ）発光し、断続的に発光されるためサンプルホールドなどを行うのが困難であるため、やはりパワーＰ１と同様にＤ／Ａコンバータ２９の出力がＶ／Ｉ変換器３６に入力され、Ｖ／Ｉ変換器３６の出力がＩＰ３となる。
【００２３】
しかし、パワーＰ１と異なりパワーが大きい(パワーＰ２の倍ほどある可能性もある)ため、温度等によるＬＤの出力変動が大きく影響してしまうので、設定を一定にしておくだけではＩＰ３は変わらず、パワーＰ３は変わってきてしまう。そこで、パワーＰ３はサンプルホールドによる制御はできないが、以下のようにＩＰ３を変更していきパワーＰ３のパワーレベルを保つようにする。
【００２４】
図８に示すように、レーザの発光において、駆動電流と発光パワーは上記したように１次関数的であり、駆動電流値が閾値ＩＴｈより大きいところでは傾きが一定とすると、ＩＰ２とパワーＰ２から求める傾きをレーザ効率（電流対パワー比）と考えることができる。この効率(傾き)は、ＬＤの発光が限界になるようなパワーでない限り同じであり、ＣＤ−ＲＷの場合は現在では一般的に限界に近いパワーで発光させることはない。
【００２５】
更に詳しくはＩＰ３の設定は例えば以下のようにして求めることができる。レーザがパワーＰ２のパワーレベルで光っているときの必要なＩＰ２とから、効率値=(Ｐ２−Ｐ１)/(ＩＰ２)である。この式は図８からもわかるように、任意の閾値ＩＴｈよりも上であるからレーザの駆動電流と発光パワーは比例していることから求めることができる。
【００２６】
従って、レーザをパワーＰ３のパワーレベルで光らせるためのＩＰ３は、ＩＰ３=(Ｐ３-Ｐ２)/効率値と計算される。パワーＰ１、Ｐ２、Ｐ３は設定パワーなので固定値であり、ＩＰ２がＡＰＣによって変動する値であることからＩＰ２の変化と同時にＩＰ３を変更することでパワーＰ３は保たれるようになる。
【００２７】
ところで、データを記録する前に最適記録パワーを求めるためにＯＰＣ（Optimum Power Control）と呼ばれる記録パワー最適化を行う必要がある。
【００２８】
図９は光ディスクの内周から外周までの断面を示す断面図である。同図の（ａ）に示すように、ＯＰＣが行われる領域であるパワーキャリブレーション領域（Power Calibration Area；ＰＣＡ）とデータ領域（データエリア；Data Area）とからなり、ＰＣＡは同図の（ｂ）に示すように、試し書き領域（テストエリア；Test Area）とカウント領域（カウントエリア；Count Area）という２つの領域から形成され、光ディスクの最内周に設けられている。試し書き領域は１５セクタ毎に１００のパーティションに分割されている。ここで、セクタとは光ディスク上の記録領域の最小単位である。
【００２９】
ＯＰＣを行う際は、試し書き領域の中で未記録のパーティションを探し出し、そのパーティションでセクタ毎に記録パワーを変えて記録を行い、その部分を再生することによって最も記録品質の良いパワーを探し出し、そのパワーを記録パワーとする。
【００３０】
一方、カウント領域は１セクタ毎に１００のパーティションに分割されている。カウント領域のパーティションは試し書き領域のそれぞれパーティションに対応しており、試し書き領域のパーティションを使用した後、それに対応するカウント領域のパーティションにもデータが記録されることになっている。
【特許文献１】特開２００１−２２９５６１号公報
【発明の開示】
【発明が解決しようとする課題】
【００３１】
しかしながら、イレーズパワーから計算してピークパワーを決める方法としては上記特許文献１にも提案されているが、例えばＰＤからの出力にノイズが大きかったり、出力自体が揺らいでしまっている場合に、サンプルホールドした信号もノイズや揺らぎがあるため、コンパレータの入力がいろいろなレベルとなるので２値を交互に動くだけでは済まなくなり、ＬＤの温度変動がなくても３値、ひどい場合は４値にＩＰ２を設定し直してしまう。更に、計算から３値又は４値になったパワーＰ２に応じてパワーＰ３を設定し直すことになっているが、パワーＰ３はパワーＰ２の倍くらい大きいためピークレベルとして実際の発光のばらつきも倍近くなる。ピークパワーがばらつくということは直接記録品質に影響が悪くなるを示している。
【００３２】
更に、ＯＰＣでは試し書き領域にパワーを変えて記録を行うが、試し書き領域は実際に記録を行う個所とは異なり、１つのパワーで記録するのは非常に短い期間であり、パワーＰ２が一定になった後直ぐに異なるパワーで発光することになる。もちろん、パワーＰ２が変わると同時にパワーＰ３も変更しているが、上述したようにパワーＰ２がばらつき、パワーＰ３もばらつくことでライト品質が悪くなっている状態で、さらにいろいろなパワーで記録したところを再生しても記録品質がいい記録パワーというのがどれくらいかがうまくみつけることはできない。それによって最適パワーを求めることにも、同じ光ディスクで、同じスピードでも求まる最適パワーはばらついてしまう。
【００３３】
本発明はこれらの問題点を解決するためのものであり、ＣＤ−ＲＷにおいてＯＰＣにおいて最適なパワーを求めることができるように発光パワーのばらつきをなくすことができる、光情報記録再生装置、レーザ光源駆動電流値決定方法、該方法を実行するプログラム及び該プログラムを格納したコンピュータ読み取り可能な記録媒体を提供することを目的とする。
【課題を解決するための手段】
【００３４】
前記問題点を解決するために、本発明の光情報記録再生装置は、レーザ光を光記録媒体に照射するレーザダイオードと、該レーザダイオードからの光量レベルは少なくとも第１の光量のパワーレベル、該第１の光量のパワーレベルより大きい第２の光量のパワーレベル、及び該第２の光量のパワーレベルより大きい第３の光量のパワーレベルの３つの光量のパワーレベルでデジタル変調されて出射するように、レーザダイオードに電流を供給して駆動させるレーザダイオード駆動手段と、レーザダイオードから出力されるレーザ光の発光パワーを検出する発光パワー検出手段と、発光パワー検出手段により検出した検出値に基づいて光量のパワーレベルを調整する光量パワーレベル調整手段と、レーザダイオードの記録パワーを決定するための複数のパーティションに分割された試し書き領域と、該試し書き領域のパーティションに対応する複数のパーティションに分割されたカウント領域とを含むパワー校正領域を有する書き換え可能な光ディスクに対し、パワーを校正するために試し書き領域にパワーを変化させながら試し書きを行う位置でＤＣイレーズ発光させて、ＤＣイレーズ発光を行った期間のレーザダイオードへの駆動電流値を複数個保持しておき、保持しておいた複数個の駆動電流値からレーザダイオードの微分効率を求め、パワーを校正するために試し書き領域にパワーを変化させて記録する際の第３の光量のパワーレベルで発光させるためのレーザダイオードへの駆動電流値と、第２の光量レベルで発光開始時のレーザダイオードへの駆動電流値を微分効率から求める制御手段とを有することに特徴がある。よって、ＣＤ−ＲＷにおいてＯＰＣにおいて最適なパワーを求めることができるように発光パワーのばらつきをなくすことができると共に、記録開始時の記録品質も落とすことがなくなる。
【００３５】
また、複数個のレーザダイオードの駆動電流値の内発光開始直後の値を除いてＤＣイレーズ発光時保持しておくことにより、微分効率が正確になるので記録品質を落とすことがなくなる。
【００３６】
更に、ＤＣイレーズ発光時の発光パワーを定めておき、ＤＣイレーズ発光を行ったときに保持しておいた複数個のレーザダイオードの駆動電流値の値に応じてＬＤへの供給電流最大値を変更する供給電流最大値変更手段を有することにより、第２の光量のパワーレベルで発光させるためのレーザダイオードへの駆動電流値と第３の光量レベルで発光開始時のレーザダイオードへの駆動電流値の分解能を小さくすることができ、１回のＡＰＣにおける各駆動電流値の変化量が小さくなるので記録品質が良くなる。
【００３７】
また、制御手段は、供給電流最大値変更手段によりＬＤへの供給電流最大値を変更し、再度同じところへＤＣイレーズ発光させて微分効率を求めることにより、分解能が変わってしまった場合でも記録開始時の記録品質を落とさずに済む。
【００３８】
更に、別の発明としてのレーザ光源駆動電流値決定方法によれば、記録媒体に対して情報の記録を行うために、少なくとも第１の光量、該第１の光量のパワーレベルより大きいパワーレベルの第２の光量及び該第２の光量のパワーレベルより大きいパワーレベルの第３の光量で発光するレーザ光源へ入力される電流値を決定する。そして、本発明のレーザ光源駆動電流値決定方法は、第３の光量の最適値を決定するための試し書きを行う領域に対して第１の光量のパワーレベルよりは大きく、第３の光量のパワーレベルよりは小さい情報消去用の光量を連続的に照射する消去用光量照射工程と、消去用光量照射工程における情報消去用の光量とレーザ光源へ入力された電流値からレーザ光源と入力電流値の特性を取得する光量電流関係取得工程と、光量電流関係取得工程において取得したレーザ光源の光量と入力電流値の関係に基づいて、試し書きを行うときの第３の光量で発光させるためにレーザ光源へ入力すべき電流値を決定する第３の光量電流値決定工程と、第２の光量で発光させるためにレーザ光源へ入力すべき電流値を決定する第２の光量電流値決定工程とを有する。よって、ＯＰＣで求まる最適パワーにばらつきが小さくなり、記録開始時の記録品質も落とさずに済む。
【００３９】
また、別の発明としてのレーザ光源駆動電流値決定方法を実行するプログラムは、第３の光量の最適値を決定するための試し書きを行う領域に対して第１の光量のパワーレベルよりは大きく、第３の光量のパワーレベルよりは小さい情報消去用の光量を連続的に照射する機能と、情報消去用の光量とレーザ光源へ入力された電流値からレーザ光源と入力電流値の関係を取得する機能と、取得したレーザ光源の光量と入力電流値の関係に基づいて、試し書きを行うときの第３の光量で発光させるためにレーザ光源へ入力すべき電流値を決定する機能と、第２の光量で発光させるためにレーザ光源へ入力すべき電流値を決定する機能とをコンピュータにより実行することに特徴がある。
【００４０】
更に、別の発明として、上記記載のプログラムを格納したコンピュータ読み取り可能な記録媒体に特徴がある。よって、既存のシステムを変えることなく、制御システムを汎用的に構築することができる。
【発明の効果】
【００４１】
本発明のレーザ光源駆動電流値決定方法によれば、ＣＤ−ＲＷにおいてＯＰＣにおいて最適なパワーを求めることができるように発光パワーのばらつきをなくすことができる。
【発明を実施するための最良の形態】
【００４２】
本発明のレーザ光源駆動電流値決定方法では、先ず第３の光量の最適値を決定するための試し書きを行う領域に対して第１の光量のパワーレベルよりは大きく、第３の光量のパワーレベルよりは小さい情報消去用の光量を連続的に照射する。そして、情報消去用の光量とレーザ光源へ入力された電流値からレーザ光源と入力電流値の特性を取得する。取得したレーザ光源の光量と入力電流値の関係に基づいて、試し書きを行うときの第３の光量で発光させるためにレーザ光源へ入力すべき電流値を決定する。また、第２の光量で発光させるためにレーザ光源へ入力すべき電流値を決定する。
【実施例】
【００４３】
図１は本発明の一実施例に係る光情報記録再生装置の構成を示すブロック図である。なお、本実施例では、一般的な一度だけ書き込み可能なＣＤフォーマットに準拠したディスクであるＣＤ−Ｒ（ＣＤ−Recordable）ディスクに記録、再生を行うＣＤ−Ｒドライブを例として説明する。同図に示す光情報記録再生装置１００は、スピンドルモータ１０１、モータドライバ１０２、サーボ１０３、光ピックアップ１０４、リードアンプ１０５、ＣＤデコーダ１０６、バッファマネージャ１０７、バッファＲＡＭ１０８、インターフェース（以下Ｉ／Ｆと略す）１０９、Ｄ／Ａコンバータ１１０、ＡＴＩＰデコーダ１１１、ＣＤエンコーダ１１２、ＣＤ−ＲＯＭエンコーダ１１３、レーザコントローラ１１４、ＲＯＭ１１５、ＲＡＭ１１６、ＣＰＵ１１７を含んで構成されている。図中、Ｌはレーザ光を示す。また、レーザコントローラ１１４が、後述するレーザ光源駆動電流値決定方法の処理を実行する。なお、ＣＰＵ１１７と各ブロックとの詳細な接続関係は省略している。
【００４４】
次に、同図に示す光情報記録再生装置１００の動作について説明する。
はじめに、光ディスク２００はディスク基板上にデータ列をピットと呼ばれる穴の有無で表現され、光ピックアップ１０４によってこれにレーザ光をあてて、その反射光の変化でデータを読み取る。このデータ列はレコードのようにディスク基板上に螺旋状に並べられている。この螺旋状に配された線をトラックと呼んでいる。隣り合うトラック間の距離は１．６ミクロンである。ＣＤ−ＲＯＭやＣＤ−Ｒディスク等の光ディスク２００はスピンドルモータ１０１により回転駆動される。スピンドルモータ１０１はモータドライバ１０２とサーボ１０３により一定速度になるように制御される。光ピックアップ１０４は図示していないＬＤ、レンズ等の光学系、レーザ光の焦点が光ディスクに合うようにレンズの位置をディスクと垂直方向に動かす機構のフォーカスアクチュエータ、レーザ光の焦点がトラックをトレースするように光ディスクの半径方向（スレッジ方向）にレンズを動かす機構であるトラックアクチュエータ、及び受光素子、ポジションセンサ等を内蔵したもので、レーザ光を光ディスクに照射する。また、光ピックアップ１０４の全体はシークモータ（図示していない）によりスレッジ方向に移動可能である。これらフォーカスアクチュエータ、トラックアクチュエータ、シークモータは受光素子、ポジションセンサから得られた信号を基にモータドライバ１０２とサーボ１０３によりレーザスポットが目的の場所に位置するよう制御される。データ読み出しの場合、光ピックアップ１０４で得られた再生信号はリードアンプ１０５で増幅されイコライザ処理や２値化（デジタル化）された後、ＣＤデコーダ１０６に入力されＥＦＭ（Eight to Fourteen Modulation）復調される。なお、光ディスク２００には光学的に再生または記録しやすいように８bitのデータを１４bitのデータに変調したデータが書かれている。ＥＦＭ復調されたデータはデインタリーブ（並べ替え直し）とエラー訂正の処理を受ける。その後このデータはバッファマネージャ１０７により一旦バッファＲＡＭ１０８に蓄えられ、セクタデータとして揃った段階でＡＴＡＰＩやＳＣＳＩなどのＩ／Ｆ１０９を介してホストコンピュータに一気に送られる。音楽データの場合ＣＤデコーダ１０６から出てきたデータはＤ／Ａコンバータ１１０に入力されアナログのオーディオ信号が取り出される。データ書き込み時はＩ／Ｆ１０９を介してホストコンピュータから送られてきたデータはバッファマネージャ１０７により一旦バッファＲＡＭ１０８に蓄えられ、バッファにある程度データが蓄積されたところで書き込みを開始するが、その前にレーザスポットを書き込み開始地点に位置させなければならない。この地点はトラックの蛇行により予め光ディスク２００に刻まれているウォブル信号により求められる。ウォブル信号にはＡＴＩＰと呼ばれる絶対時間情報が含まれておりＡＴＩＰデコーダ１１１によりこの情報が取り出せる。また、ＡＴＩＰデコーダ１１１が生成する同期信号はＣＤエンコーダ１１２に入力され正確な位置でのデータの書き出しを可能にしている。バッファＲＡＭ１０８のデータはＣＤ−ＲＯＭエンコーダ１１３やＣＤエンコーダ１１２でエラー訂正コードの不可やインターリーブ（並べ替え）が行われた後ＥＦＭ変調され、レ��ザコントロール１１４、そして光ピックアップ１０４を介して光ディスク２００に記録される。
【００４５】
なお、上述した各スイッチの制御信号、つまり第１のサンプル信号、第２のサンプル信号、第１のライトパルス重畳信号及び第２のライトパルス重畳信号は図１のＣＤエンコーダ１１２によって出力される信号である。
【００４６】
次に、本発明の光情報記録再生装置におけるレーザ光源駆動電流値決定動作について当該動作フローを示す図２に従って説明する。
先ず、ＯＰＣに際してＯＰＣで試し書きを行う記録開始位置を求める（ステップＳ１０１）。このＯＰＣで記録開始する位置とは上述したように一般的にはテストエリア内における位置であるが、テストエリア内のどこかについてはカウントエリアにおけるカウントがこれまでどれだけ進んでいるかで決めるようになっている。そこで、カウントエリアの値を調べることで、ＯＰＣの記録開始位置がわかる。
【００４７】
次に、この記録開始位置からＯＰＣで使用する範囲分をＤＣイレーズする（ステップＳ１０２）。このときのパワーは、高パワーすぎるとメディアの特性がかわってしまい、その後記録もイレーズもできないようになってしまうので、そのようなパワーで発光させないのが望ましい。また、低い側はどうかというと、もし低いパワーでＤＣイレーズするが、実際にＯＰＣを行うときはＤＣイレーズ時のパワーよりもかなり高く、ＯＰＣをするときと温度の差がかなり大きくなってしまうと、ＯＰＣ前のＤＣイレーズ時とＯＰＣとで効率が変わってしまう可能性があるので、このような低いパワーでは行わないようにするのが望ましい。
【００４８】
そして、試し書きを行う位置でＤＣイレーズ発光させる。このときＤＣイレーズ発光開始直後のＸ個のパワーＩＰ２を除いたＹ個分のパワーＩＰ２を取得する（ステップＳ１０３）。このＸという値は予め実験等で再生パワーからＡＰＣでＩＰ２を変化させていったときにどれくらいの個数で整定するかを調べておくなどして決めておくのが望ましい。また、パワーＩＰ２の取得個数のＹも保持しておく量が莫大だった場合、次に出てくるパワーＩＰ２の平均値を求めるのに計算ができなくなってしまう可能性があり、さらに少なすぎてもばらつきが小さくならないのでこれら計算ができ、ばらつきも小さくなるような値にするのが望ましい。そして、取得したＹ個のパワーＩＰ２の平均値Ｚを求める（ステップＳ１０４）。更に、この平均値ＺとＤＣイレーズ発光で設定したパワーから効率ηを求めておく（ステップＳ１０５）。次に、この平均値Ｚがある閾値ＺＴｈよりも小さい場合は（ステップＳ１０６；ＹＥＳ）、この閾値ＺＴｈに応じた供給電流最大値を変更するようにする（ステップＳ１０７）。例えばＤＣイレーズのパワーが１０ｍＷだったときにパワーＩＰ２が１００LSBを設定したとして、その後のＯＰＣやＯＰＣ後のライトではＬＤが劣化でもしていないかぎり使用するパワーＩＰ３は最大でも２００LSBくらいまでしかならないというのを予め設計計算や実験等で調べておく。ここで現在のパワーＩＰ３自身の設定最大値が４００LSBだったとして、このときＬＤへ供給できる最大電流値は４００ｍＡだったとすると現在パワーＩＰ３は１mA/LSBとなっている。しかし、結局４００LSBのうち２００LSBしか使わないということは２００ｍＡ何もしないことになる。これを供給電流最大値に変更できるとし、供給電流最大値を２００ｍＡとするとＩＰ３自身は０．５mA/LSBとなり分解能を小さくすることができる。ここでの、２００LSBしなかならないという２００LSBがＺＴｈに相当する。
【００４９】
次に、平均値ＺがＺＴｈより小さい場合に供給電流最大値もどうすればいいかは予め求めておくものとし、供給電流最大値も変更する。更に、供給電流最大値を変更した場合は再度ＯＰＣの試し書きを行う位置からＤＣイレーズをさせるようにする（ステップＳ１０７，Ｓ１０１，Ｓ１０２）。一方、平均値ＺがＺＴｈよりも大きい場合は（ステップＳ１０６；ＮＯ）、求めていた効率値ηからＯＰＣで行うときパワーにおけるＩＰ３の値を求める（ステップＳ１０８）。更に、ＯＰＣの記録開始時のＩＰ２の設定値も効率値ηより求め、ＯＰＣを開始する（ステップＳ１０９，Ｓ１１０）。
【００５０】
このようにすることにより、ＯＰＣ時にＩＰ２のばらつきがあってもピークパワーにばらつきが少なくなるためＯＰＣで求まる最適パワーにばらつきがなくなり、記録開始時のＩＰ２の整定が早くなるので記録開始直後の記録品質を落とさないで済む。また、分解能を小さくすることで記録時の１回のＡＰＣにおける設定ＩＰ２の変化量が小さくなるので記録品質が良くなる。
【００５１】
なお、ＣＤ−ＲＷのように書き換え可能な光ディスクの場合、何も書かれていないところにＤＣイレーズ発光させた場合でも、結局非結晶化されるわけではないので記録したことにはならない。ここで、ＤＣ発光させた場合、ＡＰＣによりパワーが整定してからも十分な長さがある。もし設定されるＰ２に対してＡＰＣを行っている際のＩＰ２にばらつきがあったとしてもＩＰ２を保持する数は多くとることができる。サンプル数が多くなるということはそれを平均化したときのばらつきは保持した数が少ない時に比べて小さくなる。微分効率はこの平均値から求めるため、微分効率もＩＰ２を保持した数が多い方がばらつきは少なくなる。実際にＯＰＣでパワーをふって記録するときは、ＤＣイレーズではなく前述したように高いパワーと低いパワーが交互に発生させる波形である必要があり、Ｐ３レベルで発光させるために設定するＩＰ３を求めるようにするときにはこのＩＰ２を保持した数を多くして平均値をとって求めた微分効率からＩＰ３を求めると、当然ＩＰ３もばらつきは少なくなる。つまり記録するためのパワーのばらつきを抑えることにつながる。また、ＯＰＣではいろいろなパワーをふって記録を行うが、上述した図７にあるように記録開始直後再生パワーのレベルから少しづつＩＰ２を上げていくと、実際に発光させるパワーまで時間がかかってしまうので、予めＩＰ２の値も求まった微分効率の値から求めておくようにする。このようにすることでできるだけ早くＡＰＣで制御させるレベルまで駆動電流値が到達するため、記録開始直後の記録品質の悪化を防ぐことができる。更に、ＤＣイレーズでも再生パワーよりは十分大きいため、ＡＰＣで整定するまでのＩＰ２は、制定するまでのＩＰ２とは差がある。これを含めて微分効率として求めようとしても、正確な微分効率にはならない。そこでＤＣイレーズで保持しておくＩＰ２の値は、ＤＣイレーズ開始直後のものは保持しておかず、ＡＰＣでＤＣイレーズパワーが整定してからの値とする。このようにすることでより正確な微分効率を求めることができる。
【００５２】
ところで、最近ではＩＰ２やＩＰ３として設定する駆動電流値は、その最大値を変更することができるものがある。例えばこの機能のメリットとしては、低倍速の記録時のように高パワーで記録を行わないケースにおいて最大値をさげることでＩＰ２やＩＰ３の分解能が小さくなる。分解能が小さいということはＡＰＣにおける１LSBの幅自体が小さくなるということから分解能が大きい場合に比べて記録品質はよくなることにつながる。またＯＰＣで記録を行う位置のＤＣイレーズ発光のパワーをあらかじめきめておくと、最も効率が良い場合にどれくらいのＩＰ２であればそのパワーで発光できるかが設計上わかるものだが、一般的に供給最大値は高パワー側のものに合わせてあるので、低パワー側の場合は供給電流最大値を小さくすることができる。そのためＤＣイレーズで微分効率が求まったときは供給電流最大値を下げるようにすると、分解能が小さくなるので、分解能が大きいままの場合よりも記録品質が良くなる。また、ＬＤへの供給電流最大値を変更した後は、分解能が変わっているため同じＤＣイレーズパワーでもＩＰ２として設定される値に差が生じている。もちろん記録開始されるとＡＰＣによりパワーが整定されるが、パワーの整定まで時間がかかってしまう。そこでＤＣイレーズで供給電流最大値を変更した後に再度同じ箇所でＤＣイレーズさせて微分効率を求めるようにする。このようにしてＯＰＣのＩＰ２、ＩＰ３を求めるようにすると記録開始直後から記録品質を落とさないようにできる。
【００５３】
次に、図３は本発明の光情報記録再生装置におけるレーザ光源駆動電流値決定方法を実行するプログラムを起動するための具体的な装置の構成を示すブロック図である。つまり、同図は上記実施例におけるレーザ光源駆動電流値決定方法によるソフトウェアを実行するマイクロプロセッサ等から構築されるハードウェアを示すものである。同図において、レーザ光源駆動電流値決定システムはインターフェース（以下Ｉ／Ｆと略す）４１、ＣＰＵ４２、ＲＯＭ４３、ＲＡＭ４４、表示装置４５、ハードディスク４６、キーボード４７及びＣＤ−ＲＯＭドライブ４８を含んで構成されている。また、汎用の処理装置を用意し、ＣＤ−ＲＯＭなどの読取可能な記録媒体４９には、本発明のレーザ光源駆動電流値決定方法を実行するプログラムが記憶されている。更に、Ｉ／Ｆ４１を介して外部装置から制御信号が入力され、キーボード４７によって操作者による指令又は自動的に本発明のプログラムが起動される。そして、ＣＰＵ４２は当該プログラムに従って上述のレーザ光源駆動電流値決定方法に伴う処理を施し、その処理結果をＲＡＭ４４やハードディスク４６等の記憶装置に格納し、必要により表示装置４５などに出力する。以上のように、本発明のレーザ光源駆動電流値決定方法を実行するプログラムが記録した記録媒体を用いることにより、既存のシステムを変えることなく、制御システムを汎用的に構築することができる。
【００５４】
なお、本発明は上記実施例に限定されるものではなく、特許請求の範囲内の記載であれば多種の変形や置換可能であることは言うまでもない。
【図面の簡単な説明】
【００５５】
【図１】本発明の一実施例に係る光情報記録再生装置の構成を示すブロック図である。
【図２】本発明の光情報記録再生装置におけるレーザ光源駆動電流値決定動作を示すフローチャートである。
【図３】本発明の光情報記録再生装置におけるレーザ光源駆動電流値決定方法を実行するプログラムを起動するための具体的な装置の構成を示すブロック図である。
【図４】ＣＤ−ＲＷにおけるＬＤから出射されるレーザ光の様子を示す図である。
【図５】ＣＤ−ＲＷの発光における定パワー制御を行うレーザコントローラの回路構成例を示す図である。
【図６】デジタル制御による制御時の第１のＳ／Ｈ回路の出力電圧と第１のコンパレータの出力との関係を示すタイムチャートである。
【図７】デジタル制御による制御時の第２のＳ／Ｈ回路の出力電圧と第２のコンパレータの出力との関係を示すタイムチャートである。
【図８】レーザの駆動電流対発光パワーの特性を示す特性図である。
【図９】光ディスクの内周から外周までの断面を示す断面図である。
【符号の説明】
【００５６】
１００；光情報記録再生装置、１０１；スピンドルモータ、
１０２；モータドライバ、１０３；サーボ、
１０４；光ピックアップ、１０５；リードアンプ、
１０６；ＣＤデコーダ、１０７；バッファマネージャ、
１０８；バッファＲＡＭ、１０９；Ｉ／Ｆ、
１１０；Ｄ／Ａコンバータ、１１１；ＡＴＩＰデコーダ、
１１２；ＣＤエンコーダ、１１３；ＣＤ−ＲＯＭエンコーダ、
１１４；レーザコントローラ、１１５；ＲＯＭ、１１６；ＲＡＭ、
１１７；ＣＰＵ、２００；光ディスク。
【図１】
2005166160.tif 000003
【図２】
2005166160.tif 000004
【図３】
2005166160.tif 000005
【図４】
2005166160.tif 000006
【図５】
2005166160.tif 000007
【図６】
2005166160.tif 000008
【図７】
2005166160.tif 000009
【図８】
2005166160.tif 000010
【図９】
2005166160.tif 000011